(57)【要約】【課題】  外部記憶装置を内蔵した記録装置において、記録実行手段で生ずる振動と外部記憶装置で生ずる振動とが相互に影響し合うことによる記録画質の低下及び外部記憶装置での書き込みエラーの発生を低コストに防止しつつ記録装置の利便性を向上させる。【解決手段】  「印刷＋保存」操作がされた場合には（ステップＳ１１でＹｅｓ）、ＪＯＢリストを参照し、ユーザが選択した画像のデジタル画像ファイルを光ディスク３０２へ全て保存（ステップＳ１２）した後、保存したデジタル画像ファイルを光ディスク３０２から読み込んで設定枚数の印刷を実行する（ステップＳ１３）。このとき、光ディスク３０２からのデータ読み込みエラーがあるか否かを判定し（ステップＳ１４）、読み込みエラーが発生した場合には（ステップＳ１４でＹｒｓ）、書き込みエラーが生じていたと判定し、エラーメッセージを液晶ディスプレイ３８１に表示する（ステップＳ１５）。【選択図】図７
2007283643.tif 000002
【特許請求の範囲】
【請求項１】
被記録材への記録を実行可能な記録実行手段と、外部からファイルの入力が可能なファイル入力装置と、デジタル画像ファイルの読み込み及び書き込みが可能な外部記憶装置と、ユーザインタフェース手段と、前記ファイル入力装置を介してのファイル入力制御、前記外部記憶装置の制御、前記記録実行手段による被記録材への記録制御及び前記ユーザインタフェース手段を介してのユーザインタフェース制御を実行する記録制御装置とを備えた記録装置であって、
前記記録制御装置は、任意に選択したデジタル画像ファイルの画像を前記記録実行手段で被記録材へ記録する記録制御を実行する操作及びその任意に選択したデジタル画像ファイルを前記外部記憶装置で記憶媒体へ保存するファイル保存制御を実行する操作を前記ユーザインタフェース手段における一連の操作で同時に行うことが可能な記録保存実行操作入力機能と、
任意に選択したデジタル画像ファイルの画像を前記記録実行手段で被記録材へ記録する記録制御を実行する操作及びその任意に選択したデジタル画像ファイルを前記外部記憶装置で記憶媒体へ保存するファイル保存制御を実行する操作が一連の操作で同時に行われたときは、前記外部記憶装置による記憶媒体へのファイル保存制御を先行させて実行するとともに、前記記録実行手段による被記録材への記録制御と前記外部記憶装置による記憶媒体へのファイル保存制御とを相互排他的に実行し、当該記憶媒体へ保存したデジタル画像ファイルを当該記憶媒体から読み込んで、読み込んだデジタル画像ファイルの画像データに基づいて前記記録実行手段による被記録材への記録制御を実行する機能とを有している、ことを特徴とした記録装置。
【請求項２】
請求項１において、前記記録制御装置は、任意に選択したデジタル画像ファイルの画像を前記記録実行手段で被記録材へ記録する記録制御を実行する操作及びその任意に選択したデジタル画像ファイルを前記外部記憶装置で記憶媒体へ保存するファイル保存制御を実行する操作が一連の操作で同時に行われたときは、その任意に選択したデジタル画像ファイルを全て記憶媒体へ保存した後に、当該記憶媒体へ保存したデジタル画像ファイルを当該記憶媒体から読み込んで、読み込んだデジタル画像ファイルの画像データに基づいて被記録材への記録を実行する機能を有している、ことを特徴とした記録装置。
【請求項３】
請求項１又は２において、前記記録制御装置は、任意に選択したデジタル画像ファイルの画像を前記記録実行手段で被記録材へ記録する記録制御を実行する操作を前記ユーザインタフェース手段で行うことが可能な記録実行操作入力機能と、
任意に選択したデジタル画像ファイルを前記外部記憶装置で記憶媒体へ保存するファイル保存制御を実行する操作を前記ユーザインタフェース手段で行うことが可能な保存実行操作入力機能とを有している、ことを特徴とした記録装置。
【請求項４】
請求項３において、前記ユーザインタフェース手段は、前記記録実行手段で被記録材へ記録する記録制御を実行する操作を行うことが可能な記録実行操作入力手段と、
前記外部記憶装置で記憶媒体へ保存するファイル保存制御を実行する操作を行うことが可能な保存実行操作入力手段と、
前記記録実行手段で被記録材へ記録する記録制御を実行する操作及び前記外部記憶装置で記憶媒体へ保存するファイル保存制御を実行する操作を一連の操作で同時に行うことが可能な記録保存実行操作入力手段とを有している、ことを特徴とした記録装置。
【請求項５】
請求項１〜４のいずれか１項において、前記記録制御装置は、任意に選択したデジタル画像ファイルの画像を前記記録実行手段で被記録材へ記録する記録制御を実行する操作、その任意に選択したデジタル画像ファイルを前記外部記憶装置で記憶媒体へ保存するファイル保存制御を実行する操作又はその任意に選択したデジタル画像ファイルを当該記録装置が有する他の機能に基づいて処理する制御を実行する操作のいずれか二以上の操作を前記ユーザインタフェース手段における一連の操作で選択して同時に行うことが可能な複合処理実行操作入力機能を有している、ことを特徴とした記録装置。
【請求項６】
被記録材への記録を実行可能な記録実行手段と、外部からファイルの入力が可能なファイル入力装置と、デジタル画像ファイルの読み込み及び書き込みが可能な外部記憶装置と、ユーザインタフェース手段とを備えた記録装置において、前記ファイル入力装置を介してのファイル入力制御、前記外部記憶装置の制御、前記記録実行手段による被記録材への記録制御及び前記ユーザインタフェース手段を介してのユーザインタフェース制御をコンピュータに実行させるための記録制御プログラムであって、
任意に選択したデジタル画像ファイルの画像を前記記録実行手段で被記録材へ記録する記録制御を実行する操作及びその任意に選択したデジタル画像ファイルを前記外部記憶装置で記憶媒体へ保存するファイル保存制御を実行する操作を前記ユーザインタフェース手段における一連の操作で同時に行うことが可能な記録保存実行操作入力機能と、
任意に選択したデジタル画像ファイルの画像を前記記録実行手段で被記録材へ記録する記録制御を実行する操作及びその任意に選択したデジタル画像ファイルを前記外部記憶装置で記憶媒体へ保存するファイル保存制御を実行する操作が一連の操作で同時に行われたときは、前記外部記憶装置による記憶媒体へのファイル保存制御を先行させて実行するとともに、当該記憶媒体へ保存したデジタル画像ファイルを当該記憶媒体から読み込んで、読み込んだデジタル画像ファイルの画像データに基づいて被記録材への記録を実行する機能とを実現する、ことを特徴とした記録制御プログラム。
【発明の詳細な説明】
【技術分野】
【０００１】
本発明は、被記録材への記録を実行可能な記録実行手段と、外部からファイルの入力が可能なファイル入力装置と、デジタル画像ファイルの読み込み及び書き込みが可能な外部記憶装置と、ユーザインタフェース手段とを備えた記録装置及び該記録装置の記録制御プログラムに関する。
【背景技術】
【０００２】
ハードディスクドライブ等の外部記憶装置（ストレージ）を内蔵した記録装置（プリンタ等）が公知である（例えば、特許文献１を参照）。このような構成を有する記録装置は、被記録材への記録と外部記憶装置におけるデジタル画像ファイル等の読み込み又は書き込みとが、別個独立した操作により実行されるようになっているのが一般的である。しかし、このようなハードディスクドライブ等の外部記憶装置を内蔵した記録装置において、ユーザがデジタルカメラやメモリカード内の複数のデジタル画像ファイルから選択した所望のデジタル画像ファイルについて、被記録材への記録を実行するとともに、外部記憶装置への保存を実行することも望む場合があり得る。
【０００３】
この場合、従来の記録装置においては、上述したように、被記録材への記録実行操作と外部記憶装置へのデジタル画像ファイル等の保存実行操作とが別個独立した操作系統となっているため、デジタルカメラやメモリカード内の複数のデジタル画像ファイルから所望のデジタル画像ファイルを選択する操作を、被記録材への記録実行時と外部記憶装置への保存時と双方において行う必要があった。つまり、従来の外部記憶装置を内蔵した記録装置は、被記録材への記録実行時に行ったファイル選択操作と全く同じ操作を外部記憶装置への保存時に再度繰り返して行わなければならず、同じ重複した操作を繰り返すことになるため、操作が煩雑であるという課題があった。
【０００４】
また、このような構成の記録装置においては、被記録材への記録実行と外部記憶装置へのファイル保存とを並行して同時に実行すると、被記録材への記録を実行する記録実行手段で生ずる振動と外部記憶装置で生ずる振動とが相互に影響し合って、その振動によって記録画質の低下及び外部記憶装置におけるデータ書き込みエラー等が生ずる虞がある。このような課題を解決可能な従来技術の一例としては、例えば、振動検出手段を設けて規定値以上の振動が発生したときに光ディスク装置の回転速度を落とす構成を有する光ディスク装置が公知である（例えば、特許文献２を参照）。
【０００５】
【特許文献１】特開２００５−３４９６６３号公報
【特許文献２】特開２００２−２３７１７７号公報
【発明の開示】
【発明が解決しようとする課題】
【０００６】
しかしながら、振動検出手段等を設けると記録装置のコストが上昇してしまうという課題が生ずる。また、この振動検出手段にて検出した振動に応じて記録実行中に記録実行手段における記録実行速度を変動させてしまうと、記録ムラが生じて記録画質が却って低下してしまう虞が生ずる。
【０００７】
本発明は、このような状況に鑑み成されたものであり、その課題は、外部記憶装置を内蔵した記録装置において、記録実行手段で生ずる振動と外部記憶装置で生ずる振動とが相互に影響し合うことによる記録画質の低下及び外部記憶装置での書き込みエラーの発生を低コストに防止しつつ記録装置の利便性を向上させることにある。
【課題を解決するための手段】
【０００８】
上記課題を達成するため、本発明の第１の態様は、被記録材への記録を実行可能な記録実行手段と、外部からファイルの入力が可能なファイル入力装置と、デジタル画像ファイルの読み込み及び書き込みが可能な外部記憶装置と、ユーザインタフェース手段と、前記ファイル入力装置を介してのファイル入力制御、前記外部記憶装置の制御、前記記録実行手段による被記録材への記録制御及び前記ユーザインタフェース手段を介してのユーザインタフェース制御を実行する記録制御装置とを備えた記録装置であって、前記記録制御装置は、任意に選択したデジタル画像ファイルの画像を前記記録実行手段で被記録材へ記録する記録制御を実行する操作及びその任意に選択したデジタル画像ファイルを前記外部記憶装置で記憶媒体へ保存するファイル保存制御を実行する操作を前記ユーザインタフェース手段における一連の操作で同時に行うことが可能な記録保存実行操作入力機能と、任意に選択したデジタル画像ファイルの画像を前記記録実行手段で被記録材へ記録する記録制御を実行する操作及びその任意に選択したデジタル画像ファイルを前記外部記憶装置で記憶媒体へ保存するファイル保存制御を実行する操作が一連の操作で同時に行われたときは、前記外部記憶装置による記憶媒体へのファイル保存制御を先行させて実行するとともに、前記記録実行手段による被記録材への記録制御と前記外部記憶装置による記憶媒体へのファイル保存制御とを相互排他的に実行し、当該記憶媒体へ保存したデジタル画像ファイルを当該記憶媒体から読み込んで、読み込んだデジタル画像ファイルの画像データに基づいて前記記録実行手段による被記録材への記録制御を実行する機能とを有している、ことを特徴とした記録装置である。
【０００９】
ここで、外部記憶装置（external  storage  unit）とは、コンピュータの主記憶装置（メインメモリ）以外の電力を供給しなくても記憶したデータが消えないデータ記憶装置を全て含むものであり、例えば、ハードディスクドライブやＣＤ−ＲＷドライブ等のデータ記憶装置を意味し、「外部」とは、外付けという意味ではなく、外付け及び記録装置に内蔵された上記データ記憶装置を全て含むものである。  
また、記憶媒体（media）とは、デジタル画像ファイル等のデジタルデータを記憶しておくためのものであり、磁気的又は光学的に記憶を行うもの、或いはそれ以外の記憶方式によるものも全て含むものである。
【００１０】
本発明の第１の態様に記載の記録装置は、任意に選択したデジタル画像ファイルの画像を被記録材へ記録する操作とその任意に選択したデジタル画像ファイルを外部記憶装置で記憶媒体へ保存する操作とを一連の操作で同時に行うことができる。したがって、被記録材への記録実行時に行ったファイル選択操作と全く同じ内容のファイル選択操作を外部記憶装置への保存時に再度繰り返して行うことなく、ユーザが選択した所望のデジタル画像ファイルについて、被記録材への記録及び外部記憶装置への保存の両方を実行することができるので、外部記憶装置を内蔵した記録装置の利便性を向上させることができるという作用効果が得られる。
【００１１】
また、本発明の第１の態様に記載の記録装置は、任意に選択したデジタル画像ファイルの画像を被記録材へ記録する操作とその任意に選択したデジタル画像ファイルを外部記憶装置で記憶媒体へ保存する操作とが一連の操作で同時に行われたときは、記録実行手段による被記録材への記録制御と外部記憶装置による記憶媒体へのファイル保存制御とを相互排他的に実行する。すなわち、記録実行手段による被記録材への記録制御を実行している間は、外部記憶装置による記憶媒体へのファイル保存制御を実行せず、外部記憶装置による記憶媒体へのファイル保存制御を実行している間は、記録実行手段による被記録材への記録制御を実行しない。したがって、被記録材への記録を実行する記録実行手段で生ずる振動と外部記憶装置で生ずる振動とが相互に影響し合うことがないので、振動低減手段等を設けることなく、記録実行手段で生ずる振動と外部記憶装置で生ずる振動とが相互に影響し合うことによる記録画質の低下及び外部記憶装置での書き込みエラーの発生を低コストに防止することができるという作用効果が得られる。
【００１２】
さらに、本発明の第１の態様に記載の記録装置は、外部記憶装置による記憶媒体へのファイル保存制御を先行させて実行して、その記憶媒体へ保存したデジタル画像ファイルを読み込みながら、その読み込んだデジタル画像ファイルの画像データに基づいて記録実行手段による被記録材への記録制御を実行する。そのため、何らかの要因で外部記憶装置においてデータ書き込みエラーが生じていた場合には、記録実行時におけるその記憶媒体からのデータ読み込み時に読み込みエラーが生ずるので、そのデータ書き込みエラーを発見することができる。すなわち、外部記憶装置による記憶媒体へのファイル保存が正常に行われたか否かを被記録材への記録実行中に検証することができるという作用効果も得られる。
【００１３】
本発明の第２の態様は、前述した第１の態様において、前記記録制御装置は、任意に選択したデジタル画像ファイルの画像を前記記録実行手段で被記録材へ記録する記録制御を実行する操作及びその任意に選択したデジタル画像ファイルを前記外部記憶装置で記憶媒体へ保存するファイル保存制御を実行する操作が一連の操作で同時に行われたときは、その任意に選択したデジタル画像ファイルを全て記憶媒体へ保存した後に、当該記憶媒体へ保存したデジタル画像ファイルを当該記憶媒体から読み込んで、読み込んだデジタル画像ファイルの画像データに基づいて被記録材への記録を実行する機能を有している、ことを特徴とした記録装置である。
【００１４】
このように、任意に選択したデジタル画像ファイルを全て記憶媒体へ保存した後に、その記憶媒体へ保存したデジタル画像ファイルを読み込んで被記録材への記録を実行するようにしても良い。それによって、前述した本発明の第１の態様に記載の記録装置と同様の作用効果が得られるとともに、任意に選択したデジタル画像ファイルの画像を記録実行手段で被記録材へ記録する記録制御を実行する操作及びその任意に選択したデジタル画像ファイルを外部記憶装置で記憶媒体へ保存するファイル保存制御を実行する操作が一連の操作で同時に行われたときの記録制御とファイル保存制御との相互排他的な実行制御を簡略化することができる。
【００１５】
本発明の第３の態様は、前述した第１の態様又は第２の態様において、前記記録制御装置は、任意に選択したデジタル画像ファイルの画像を前記記録実行手段で被記録材へ記録する記録制御を実行する操作を前記ユーザインタフェース手段で行うことが可能な記録実行操作入力機能と、任意に選択したデジタル画像ファイルを前記外部記憶装置で記憶媒体へ保存するファイル保存制御を実行する操作を前記ユーザインタフェース手段で行うことが可能な保存実行操作入力機能とを有している、ことを特徴とした記録装置である。
【００１６】
本発明の第３の態様に記載の記録装置は、任意に選択したデジタル画像ファイルの画像を被記録材へ記録する操作とその任意に選択したデジタル画像ファイルを外部記憶装置で記憶媒体へ保存する操作とを一連の操作で同時に行うことができることに加えて、任意に選択したデジタル画像ファイルの画像を被記録材へ記録する操作のみ行うことも、任意に選択したデジタル画像ファイルを外部記憶装置で記憶媒体へ保存する操作のみ行うことも可能な構成を有している。したがって、外部記憶装置を内蔵した記録装置の利便性をより向上させることができるという作用効果が得られる。
【００１７】
本発明の第４の態様は、前述した第３の態様において、前記ユーザインタフェース手段は、前記記録実行手段で被記録材へ記録する記録制御を実行する操作を行うことが可能な記録実行操作入力手段と、前記外部記憶装置で記憶媒体へ保存するファイル保存制御を実行する操作を行うことが可能な保存実行操作入力手段と、前記記録実行手段で被記録材へ記録する記録制御を実行する操作及び前記外部記憶装置で記憶媒体へ保存するファイル保存制御を実行する操作を一連の操作で同時に行うことが可能な記録保存実行操作入力手段とを有している、ことを特徴とした記録装置である。
【００１８】
本発明の第４の態様に記載の記録装置によれば、ユーザは、任意に選択した所望のデジタル画像ファイルについて、被記録材への記録だけを実行するか、外部記憶装置で保存だけを実行するか、或いはその両方を実行するかを、所望のデジタル画像ファイルを任意に選択した後、インタフェース手段の記録実行操作入力手段、保存実行操作入力手段又は記録保存実行操作入力手段のいずれかを任意に選択して操作するだけで簡単かつ選択的に実行することができるという作用効果が得られる。
【００１９】
本発明の第５の態様は、前述した第１の態様〜第４の態様のいずれかにおいて、前記記録制御装置は、任意に選択したデジタル画像ファイルの画像を前記記録実行手段で被記録材へ記録する記録制御を実行する操作、その任意に選択したデジタル画像ファイルを前記外部記憶装置で記憶媒体へ保存するファイル保存制御を実行する操作又はその任意に選択したデジタル画像ファイルを当該記録装置が有する他の機能に基づいて処理する制御を実行する操作のいずれか二以上の操作を前記ユーザインタフェース手段における一連の操作で選択して同時に行うことが可能な複合処理実行操作入力機能を有している、ことを特徴とした記録装置である。  
このように、任意に選択したデジタル画像ファイルについて、被記録材への記録を実行する操作又は外部記憶装置で保存する操作の他、当該記録装置が有する他の機能に基づいて処理する制御を実行する操作も含めて、これらの操作から二以上の操作を選択して一連の操作で同時に行うことができるので、外部記憶装置を内蔵した記録装置の利便性をより向上させることができるという作用効果が得られる。
【００２０】
本発明の第６の態様は、被記録材への記録を実行可能な記録実行手段と、外部からファイルの入力が可能なファイル入力装置と、デジタル画像ファイルの読み込み及び書き込みが可能な外部記憶装置と、ユーザインタフェース手段とを備えた記録装置において、前記ファイル入力装置を介してのファイル入力制御、前記外部記憶装置の制御、前記記録実行手段による被記録材への記録制御及び前記ユーザインタフェース手段を介してのユーザインタフェース制御をコンピュータに実行させるための記録制御プログラムであって、任意に選択したデジタル画像ファイルの画像を前記記録実行手段で被記録材へ記録する記録制御を実行する操作及びその任意に選択したデジタル画像ファイルを前記外部記憶装置で記憶媒体へ保存するファイル保存制御を実行する操作を前記ユーザインタフェース手段における一連の操作で同時に行うことが可能な記録保存実行操作入力機能と、任意に選択したデジタル画像ファイルの画像を前記記録実行手段で被記録材へ記録する記録制御を実行する操作及びその任意に選択したデジタル画像ファイルを前記外部記憶装置で記憶媒体へ保存するファイル保存制御を実行する操作が一連の操作で同時に行われたときは、前記外部記憶装置による記憶媒体へのファイル保存制御を先行させて実行するとともに、当該記憶媒体へ保存したデジタル画像ファイルを当該記憶媒体から読み込んで、読み込んだデジタル画像ファイルの画像データに基づいて被記録材への記録を実行する機能とを実現する、ことを特徴とした記録制御プログラムである。  
本発明の第６の態様に記載の記録制御プログラムによれば、この記録制御プログラムを実行可能なコンピュータを備えた任意の記録装置に、前述した第１の態様に記載の発明と同様の作用効果をもたらすことができる。
【発明を実施するための最良の形態】
【００２１】
以下、本発明の実施の形態を図面に基づいて説明する。  
まず、本発明に係る「記録装置」の一例としてのインクジェット式記録装置の概略構成について説明する。
【００２２】
図１は、本発明に係るインクジェット式記録装置の要部平面図であり、図２はその側面図である。図３は、本発明に係るインクジェット式記録装置の概略のブロック図である。  
インクジェット式記録装置５０には、「被記録材」としての記録紙Ｐへの記録を実行可能な「記録実行手段」を構成する手段として、記録紙Ｐに対して主走査方向Ｘへ移動可能にキャリッジガイド軸５１に軸支されたキャリッジ６１が設けられている。キャリッジ６１には、「被記録材」としての記録紙Ｐの記録面にドットを形成して記録を行うための記録ヘッド６２と主走査方向Ｘの記録紙Ｐの端部を検出するためのＰＷセンサ３４とが搭載されている。キャリッジ６１は、「キャリッジ用モータ」としてのＣＲモータ６３（図３）の回転駆動力が、無端ベルトによるベルト伝達機構（図示せず）によって伝達されて主走査方向Ｘに往復動する。このキャリッジ６１を主走査方向Ｘへ往復動させることで、記録紙Ｐに対して記録ヘッド６２を主走査方向Ｘに走査させることができる。記録ヘッド６２のヘッド面と対向する位置には、記録紙Ｐを摺接支持しつつ記録紙Ｐの記録面と記録ヘッド６２のヘッド面との間隔を所定間隔に規定するプラテン５２が設けられている。
【００２３】
キャリッジ６１の主走査方向Ｘへの往復動領域の一端側の外側には、公知のキャッピング装置５９が設けられている。記録を実行しない待機状態においては、キャリッジ６１がキャッピング装置５９の上まで移動して停止し、キャッピング装置５９に配設されているキャップＣＰによって記録ヘッド６２のヘッド面が封止される。このキャリッジ６１の停止位置は、ホームポジションＨＰとして規定される。
【００２４】
また、インクジェット式記録装置５０には、記録紙Ｐへの記録を実行可能な「記録実行手段」を構成する「被記録材搬送手段」として、記録紙Ｐを副走査方向Ｙに搬送する搬送駆動ローラ５３と搬送従動ローラ５４が設けられている。搬送駆動ローラ５３は、「被記録材搬送用モータ」としてのＰＦモータ５８（図３）の回転駆動力が歯車伝達されて回転する。搬送従動ローラ５４は、複数設けられており、従動回転可能に軸支された状態で搬送駆動ローラ５３に押圧付勢されている。搬送従動ローラ５４の押圧付勢力で高摩擦抵抗被膜が施された搬送駆動ローラ５３の外周面に押しつけられた記録紙Ｐは、その摩擦抵抗によって搬送駆動ローラ５３の外周面に密着する。その状態で搬送駆動ローラ５３を搬送方向へ回転させることによって、記録紙Ｐは、搬送従動ローラ５４が従動回転しつつ副走査方向Ｙに搬送され、それによって、記録ヘッド６２を記録紙Ｐに対して副走査方向Ｙに走査させることができる。
【００２５】
給紙トレイ５７の近傍には、給紙トレイ５７に積重されている記録紙Ｐの最上位の記録紙Ｐを「被記録材搬送手段」へ自動給送する「自動給送手段」としてのＡＳＦ（オート・シート・フィーダ）が設けられている。ＡＳＦは、給紙トレイ５７に設けられた給紙ローラ５７ｂ及び図示してない分離パッドを有する公知の自動給紙機構である。給紙ローラ５７ｂは、給紙トレイ５７の一方側に配置されている。記録紙ガイド５７ａは、記録紙Ｐの幅に合わせて幅方向に摺動可能に給紙トレイ５７に設けられている。そして、ＰＦモータ５８（図３）の回転駆動力が歯車伝達されて回転する給紙ローラ５７ｂの回転駆動力によって、給紙トレイ５７に置かれた記録紙Ｐが給紙される。その際に、分離パッドの摩擦抵抗によって、複数の記録紙Ｐが一度に給紙されることなく最上位の記録紙Ｐのみが正確に分離されて一枚ずつ自動給紙されるように構成されている。給紙ローラ５７ｂと搬送駆動ローラ５３との間には、搬送される記録紙Ｐの先端及び後端を検出する公知の紙検出器３３が配設されている。
【００２６】
一方、記録紙Ｐを副走査方向Ｙへ搬送可能な「被記録材搬送手段」及び記録実行後の記録紙Ｐを排紙する手段として、排紙駆動ローラ５５と排紙従動ローラ５６とが設けられている。排紙駆動ローラ５５は、ＰＦモータ５８（図３）の回転駆動力が歯車伝達されて回転し、記録実行後の記録紙Ｐは、排紙駆動ローラ５５の回転によって副走査方向Ｙに排紙される。排紙従動ローラ５６は、周囲に複数の歯を有し、各歯の先端が記録紙Ｐの記録面に点接触するように鋭角的に尖った歯付きローラになっている。複数の排紙従動ローラ５６は、それぞれ個々に排紙駆動ローラ５５に付勢され、記録紙Ｐが排紙駆動ローラ５５の回転により排紙される際に記録紙Ｐに接して記録紙Ｐの排紙に伴い従動回転する。  
そして、給紙ローラ５７ｂ、搬送駆動ローラ５３及び排紙駆動ローラ５５を回転駆動するＰＦモータ５８（図３）及びキャリッジ６１を主走査方向Ｘに駆動するＣＲモータ６３（図３）は、記録制御部１００により駆動制御される。また、記録ヘッド６２も同様に、記録制御部１００により駆動制御されて記録紙Ｐの表面にインクを噴射する。記録制御部１００は、キャリッジ６１を主走査方向Ｘへ往復動させながら記録ヘッド６２から記録紙Ｐへインクを噴射してドットを形成する動作と、記録紙Ｐを副走査方向Ｙへ所定の搬送量で搬送する動作とを交互に繰り返しながら記録紙Ｐへの記録制御を実行する。
【００２７】
引き続き図１〜図３を参照しながら記録制御部１００について説明する。  
記録制御部１００は、ＲＯＭ１０１、ＲＡＭ１０２、ＡＳＩＣ（特定用途向け集積回路）１０３、ＭＰＵ１０４、「不揮発性記憶媒体」としての不揮発性メモリ１０５、「被記録材搬送用モータ駆動回路」としてのＰＦモータドライバ１０６、「キャリッジ用モータ駆動回路」としてのＣＲモータドライバ１０７及びヘッドドライバ１０８を備えている。ＭＰＵ１０４には、ＡＳＩＣ１０３を介して、ロータリエンコーダ３１、リニアエンコーダ３２、紙検出器３３、ＰＷセンサ３４及びインクジェット式記録装置５０の電源をＯＮ／ＯＦＦするための電源スイッチ３５の出力信号が入力される。
【００２８】
公知のロータリエンコーダ３１は、搬送駆動ローラ５３の回転量を検出するべくＰＦモータ５８の回転周期に連動した周期のパルス信号を出力するように配設されている。ロータリエンコーダ３１は、搬送駆動ローラ５３の回転に連動して回転するロータリスケール３１１と、ロータリスケール３１１の外周に沿って等間隔に形成されているスリットを検出するロータリスケールセンサ３１２とを有している（図２）。搬送駆動ローラ５３の回転に伴い変化するロータリスケールセンサ３１２の出力信号は、ＡＳＩＣ１０３を介してＭＰＵ１０４へ出力される。  
公知のリニアエンコーダ３２は、キャリッジ６１の移動量を検出するべくＣＲモータ６３の回転周期に連動した周期のパルス信号を出力するように配設されている。リニアエンコーダ３２は、キャリッジ６１の近傍に主走査方向Ｘと略平行に配置されたリニアスケール３２１と、リニアスケール３２１に等間隔に形成されているスリットを検出するキャリッジ６１に搭載されたリニアスケールセンサ３２２とを有している（図２）。キャリッジ６１の主走査方向Ｘの移動量に応じたパルス数でパルス周期が移動速度に伴い変化するリニアスケールセンサ３２２の出力信号は、ＡＳＩＣ１０３を介してＭＰＵ１０４へ出力される。
【００２９】
記録制御部１００のシステムバスには、ＲＯＭ１０１、ＲＡＭ１０２、ＡＳＩＣ１０３、ＭＰＵ１０４及び不揮発性メモリ１０５が接続されている。ＭＰＵ１０４は、インクジェット式記録装置５０の記録制御を実行するための演算処理やその他必要な演算処理を行う。ＲＯＭ１０１には、ＭＰＵ１０４によるインクジェット式記録装置５０の制御に必要な記録制御プログラム（ファームウェア）等が格納されており、記録制御プログラムの処理に必要な各種データ等は不揮発性メモリ１０５に記憶されている。ＲＡＭ１０２は、ＭＰＵ１０４の作業領域や記録データ等の格納領域として用いられる。  
ＡＳＩＣ１０３は、ＤＣモータであるＰＦモータ５８の速度制御を行う制御回路及びＣＲモータ６３の速度制御を行う制御回路並びに記録ヘッド６２の駆動制御を行う制御回路（図示せず）を有している。ＭＰＵ１０４から送られてくる制御命令、ロータリエンコーダ３１の出力信号及びリニアエンコーダ３２の出力信号に基づいて、ＰＦモータ５８及びＣＲモータ６３の速度制御を行う為の各種演算を行い、その演算結果に基づくモータ制御信号をＰＦモータドライバ１０６及びＣＲモータドライバ１０７へ送出する。また、ＭＰＵ１０４から送出される記録データ等に基づいて、記録ヘッド６２の制御信号を演算生成してヘッドドライバ１０８へ送出して記録ヘッド６２を駆動制御する。
【００３０】
さらに、ＡＳＩＣ１０３は、インクジェット式記録装置５０の本体に設けられたＵＳＢコネクタ（図示せず）を介して接続されるデジタルカメラ３０３とのＵＳＢインタフェースを実現して、デジタルカメラ３０３等からデジタル画像ファイルを入力可能な「ファイル入力装置」としての機能を実現するＵＳＢＩＦ１１１を有している。デジタルカメラ３０３をＵＳＢＩＦ１１１でインクジェット式記録装置５０に接続した状態で、前述したダイレクトプリントを実行することができる。
【００３１】
また、インクジェット式記録装置５０は、外部からデジタル画像ファイルを入力可能な「ファイル入力装置」としてメモリカード３０１のデータを読み込み可能なメモリカードスロット３６と、ＣＤ（Compact Disk）やＤＶＤ（Digital Versatile Disk）等の光ディスク３０２に対するデジタル画像ファイル等のデータの読み書きを実行可能な構成を有する「外部記憶装置」としてのＣＤ／ＤＶＤドライブ３７とを備えている。メモリカードスロット３６及びＣＤ／ＤＶＤドライブ３７の制御及びデータ入出力は、ＡＳＩＣ１０３を介してＭＰＵ１０４により実行される。尚、「ファイル入力装置」は、特にＵＳＢＩＦ１１１やメモリカードスロット３６に限定されるものではなく、例えば、インターネット等のネットワーク経由でファイルを入力可能な手段をインクジェット式記録装置５０に設けても良い。
【００３２】
図４は、記録制御部１００の要部の機能ブロック図である。  
「記録制御装置」としての記録制御部１００は、機能ブロックとして、システム制御部１５１、記録実行手段制御部１５２、ファイルシステム１５３、静止画・動画制御部１５４、ＵＩ制御部１５５及び情報記憶部１５６を有している。  
記録実行手段制御部１５２は、上述した「記録実行手段」による記録紙Ｐへの記録制御を実行する。ファイルシステム１５３は、メモリカードスロット３６及びＣＤ／ＤＶＤドライブ３７を介してのファイル入出力制御を実行する。静止画・動画制御部１５４は、圧縮されたデジタル静止画ファイルやデジタル動画ファイルの復号（デコード）を実行する。復号されたデジタル画像又はデジタル動画は、液晶ディスプレイ３８１で再生表示することができる。ＵＩ（ユーザインタフェース）制御部１５５は、インクジェット式記録装置５０本体に設けられた「表示手段」としての液晶ディスプレイ３８１及び「操作入力手段」としての操作パネル３８２を有するユーザインタフェース手段３８の操作入力制御及び画面表示制御を実行する。情報記憶部１５６は、インクジェット式記録装置５０におけるＪＯＢをリスト化して保持する機能を有している。
【００３３】
システム制御部１５１は、ＵＳＢＩＦ１１１を介して入力可能な状態にあるデジタルカメラ３０３に保存されているデジタル画像ファイル又はメモリカードスロット３６を介して入力可能な状態にあるメモリカード３０１に保存されたファイルのうち、ユーザがユーザインタフェース手段３８を操作して任意に選択した複数のデジタル画像ファイルについて、その任意に選択したデジタル画像ファイルの画像を記録紙Ｐへ記録する記録制御を実行する操作をユーザインタフェース手段３８で行うことが可能な「記録実行操作入力機能」を有している。また、システム制御部１５１は、その任意に選択したデジタル画像ファイルをＣＤ／ＤＶＤドライブ３７で光ディスク３０２へ保存するファイル保存制御を実行する操作をユーザインタフェース手段３８で行うことが可能な「保存実行操作入力機能」を有している。
【００３４】
さらに、システム制御部１５１は、その任意に選択したデジタル画像ファイルの画像を記録紙Ｐへ記録する記録制御を実行する操作及びその任意に選択したデジタル画像ファイルをＣＤ／ＤＶＤドライブ３７で光ディスク３０２へ保存するファイル保存制御を実行する操作をユーザインタフェース手段３８における一連の操作で同時に行うことが可能な「記録保存実行操作入力機能」を有している。
【００３５】
図５は、本発明に係るユーザインタフェース手段３８の第１実施例を模式的に図示した平面図である。  
液晶ディスプレイ３８１の近傍に電源スイッチ３５とともに配設された操作パネル３８２は、液晶ディスプレイ３８１の画面上でカーソル等を上下左右へ移動させたり、印刷（記録）枚数を増減させたりする操作を行うための上ボタンＵ、下ボタンＤ、左ボタンＬ及び右ボタンＲを有している。また、操作パネル３８２は、図示の如く「設定」ボタンや「戻る」ボタン、「ＯＫ」ボタンを有している。ユーザは、これらのボタンを操作しながら、液晶ディスプレイ３８１の画面上で任意の画像Ｇを選択して図示の如くチェックマークを付加することで、記録紙Ｐへ記録を実行する画像を任意に選択したり、光ディスク３０２へ保存するデジタル画像ファイルを任意に選択したりすることができる。
【００３６】
さらに、操作パネル３８２は、印刷ボタン１１、保存ボタン１２及び＋ボタン１３を有している。「記録実行操作入力手段」としての印刷ボタン１１は、ユーザが任意に選択したデジタル画像ファイルの画像を記録紙Ｐへ記録する記録制御を実行する操作を行うための操作ボタンである。「保存実行操作入力手段」としての保存ボタン１２は、ユーザが任意に選択したデジタル画像ファイルをＣＤ／ＤＶＤドライブ３７で光ディスク３０２へ保存するファイル保存制御を実行する操作を行うための操作ボタンである。「記録保存実行操作入力手段」としての＋ボタン１３は、ユーザが任意に選択したデジタル画像ファイルについて、その選択したデジタル画像ファイルの画像を記録紙Ｐへ記録する記録制御を実行する操作及びその選択したデジタル画像ファイルをＣＤ／ＤＶＤドライブ３７で光ディスク３０２へ保存するファイル保存制御を実行する操作を一連の操作で同時に行うための操作ボタンである。
【００３７】
つづいて、この印刷ボタン１１、保存ボタン１２及び＋ボタン１３の操作に対する記録制御部１００の制御手順について説明する。
【００３８】
図６は、印刷ボタン１１、保存ボタン１２及び＋ボタン１３の操作に対する記録制御部１００の制御手順を示したフローチャートである。  
デジタルカメラ３０３又はメモリカード３０１に保存されたファイルの中から、ユーザがユーザインタフェース手段３８を操作して複数のデジタル画像ファイルを任意に選択すると、ユーザが選択した画像と選択画像ごとの印刷（記録）枚数の設定からＪＯＢリストを生成して記憶する（ステップＳ１）。このＪＯＢリストは、ユーザが画像の選択を変更したり、印刷（記録）枚数設定を変更したりする度に生成され更新される。つづいて、＋ボタン１３が押下された否かを判定する（ステップＳ２）。＋ボタン１３が押下された場合には（ステップＳ２でＹｅｓ）、＋ボタン１３の押下操作を記憶する（ステップＳ３）。＋ボタン１３が押下されていなければ（ステップＳ２でＮｏ）、つづいて、印刷ボタン１１が押下されたか否かを判定する（ステップＳ４）。
【００３９】
印刷ボタン１１が押下された場合には（ステップＳ４でＹｅｓ）、印刷ボタン１１の押下操作を記憶する（ステップＳ５）。印刷ボタン１１が押下されていなければ（ステップＳ２でＮｏ）、つづいて、保存ボタン１２が押下されたか否かを判定する（ステップＳ６）。保存ボタン１２が押下された場合には（ステップＳ６でＹｅｓ）、保存ボタン１２の押下操作を記憶する（ステップＳ７）。保存ボタン１２が押下されていなければ（ステップＳ６でＮｏ）、つづいて、ユーザのボタン操作がされないまま一定時間経過してタイムアウトしたか否かを判定する（ステップＳ８）。タイムアウトする前にユーザによる何らかのボタン操作がなされた場合には（ステップＳ８でＮｏ）、ステップＳ２へ戻り、タイムアウトした時点で（ステップＳ８でＹｅｓ）、その時点におけるＪＯＢリストの内容並びに印刷ボタン１１、保存ボタン１２及び＋ボタン１３の押下操作の記憶内容に応じた制御を実行する（ステップＳ９）。
【００４０】
具体的には、記録制御部１００は、操作ボタンの押下操作が印刷ボタン１１だけだった場合には、ＪＯＢリストの内容に基づいて、ユーザが任意に選択した画像を画像ごとに設定された印刷枚数（記録枚数）で記録紙Ｐへ記録する記録制御を実行する。また、操作ボタンの押下操作が保存ボタン１２だけだった場合には、ＪＯＢリストの内容に基づいて、ユーザが任意に選択したデジタル画像ファイルをＣＤ／ＤＶＤドライブ３７で光ディスク３０２へ保存するファイル保存制御を実行する。そして、操作ボタンの押下操作が印刷ボタン１１、保存操作ボタン１２及び＋ボタン１３だった場合には、ＪＯＢリストの内容に基づいて、ユーザが任意に選択したデジタル画像ファイルについて、記録紙Ｐへの記録制御と光ディスク３０２へのファイル保存制御とを両方実行する。例えば、「印刷」→「＋」→「保存」の順に操作されたか、「保存」→「＋」→「印刷」の順に操作された場合としても良いし、さらに＋ボタン１３のみ押下された場合を同様としても良い。
【００４１】
このとき、印刷ボタン１１の押下操作が先か、保存ボタン１２の押下操作が先かによって、記録紙Ｐへの記録を先に実行するか光ディスク３０２へのデジタル画像ファイルの保存を先に実行するかを選択できるようにしても良い。或いは、セットアップ画面等で予め固定的に設定しておくことができるようにしても良い。例えば、選択したデジタル画像ファイルのファイル数や各デジタル画像ファイルのデータ容量、或いは各デジタル画像ファイルについての記録実行枚数等に応じて、記録紙Ｐへの記録制御を先行させるのか、ＣＤ／ＤＶＤドライブ３７における光ディスク３０２へのファイル保存制御を先行させるのか、或いは、両方並行して同時進行させるのかをユーザ個々の事情等も含めて自由に選択することが可能になる。並行して同時進行させる場合には、記録紙Ｐへの記録制御と光ディスク３０２へのファイル保存制御とが同時に終了するように両制御を実行して終了タイミングを合わせることも可能である。尚、記憶されているボタン操作の内容が上記以外のボタン操作の組み合わせだった場合には、再度ユーザにボタン操作の入力を要求するべく、その旨を液晶ディスプレイ３８１に表示する。
【００４２】
図７は、ユーザが任意に選択したデジタル画像ファイルについて、記録紙Ｐへの記録制御と光ディスク３０２へのファイル保存制御とを両方実行する手順を示したフローチャートである。当該手順は、図６に図示したフローチャートにおけるステップＳ９で実行される手順である。  
まず、「印刷＋保存」操作がされたか否かを判定する（ステップＳ１１）。すなわち、「印刷」→「＋」→「保存」の順に操作された又は「保存」→「＋」→「印刷」の順に操作されたか否かを判定する。「印刷＋保存」操作がされていない場合には（ステップＳ１１でＮｏ）、そのまま当該手順を終了する。この場合は、操作ボタンの押下操作が印刷ボタン１１だけだったとき若しくは保存ボタン１２だけだったとき又は再度ユーザにボタン操作の入力を要求する必要がある押下操作だったときのいずれかということになる。
【００４３】
一方、「印刷＋保存」操作がされた場合には（ステップＳ１１でＹｅｓ）、つづいて、情報記憶部１５６のＪＯＢリストを参照し、ユーザ選択した画像のデジタル画像ファイルを特定して、まずユーザが選択した画像のデジタル画像ファイルを全てＣＤ／ＤＶＤドライブ３７で光ディスク３０２へ保存する（ステップＳ１２）。全てのデジタル画像ファイルの光ディスク３０２への保存が終了した後、つづいて、再度ＪＯＢリストを参照して、未印刷（記録）の画像のデジタル画像ファイルを特定し、特定した未印刷（記録）の画像のデジタル画像ファイルを、その光ディスク３０２から読み込んで設定枚数の印刷（記録）を実行する（ステップＳ１３）。このとき、光ディスク３０２からのデジタル画像ファイルのデータ読み込みエラーがあるか否かを判定する（ステップＳ１４）。読み込みエラーが発生した場合には（ステップＳ１４でＹｒｓ）、ステップＳ１２におけるデジタル画像ファイルの光ディスク３０２への書き込み時に書き込みエラーが生じていたと判定し、「書き込みエラーが発生しました。メディア（光ディスク３０２）を換えて、再度書き込みを行って下さい。」等のエラーメッセージを液晶ディスプレイ３８１に表示する（ステップＳ１５）。
【００４４】
そして、読み込みエラーが発生せずに当該デジタル画像ファイルの画像の記録が設定枚数だけ終了した場合には（ステップＳ１４でＮｏ）、当該デジタル画像ファイルを印刷（記録）済みとしてＪＯＢリストを更新した後、再度ＪＯＢリストを参照して選択された画像の記録紙Ｐへの記録が全て終了したか否かを判定する（ステップＳ１６）。全て終了していない場合には（ステップＳ１６でＮｏ）、ステップＳ１３へ戻って、ＪＯＢリストの内容に基づいて、未印刷（記録）の画像のデジタル画像ファイルを特定し、光ディスク３０２から読み込んで記録紙Ｐへの記録を設定枚数だけ実行し、全ての記録が終了した時点で（ステップＳ１６でＹｅｓ）、当該手順を終了する。
【００４５】
このように、デジタルカメラ３０３やメモリカード３０１に保存されている複数のデジタル画像ファイルの中から、ユーザが任意にデジタル画像ファイルを選択した後、「印刷」→「＋」→「保存」又は「保存」→「＋」→「印刷」の順に操作することで、その選択したデジタル画像ファイルの画像を記録紙Ｐへ記録する操作とその任意に選択したデジタル画像ファイルをＣＤ／ＤＶＤドライブ３７で光ディスク３０２へ保存する操作とを一連の操作で同時に行うことができる。したがって、記録紙Ｐへの記録実行時に行ったファイル選択操作と全く同じ内容のファイル選択操作をＣＤ／ＤＶＤドライブ３７で光ディスク３０２へ保存する時に再度繰り返して行うことなく、ユーザが選択した所望のデジタル画像ファイルについて、記録紙Ｐへの記録及び光ディスク３０２への保存の両方を実行することができる。他方、その選択したデジタル画像ファイルについて、記録紙Ｐへの記録だけをユーザが望む場合には、印刷ボタン１１だけを押下すれば良く、光ディスク３０２へ保存することだけをユーザが望む場合には、保存ボタン１２だけを押下すれば良い。
【００４６】
このようにして、ＣＤ／ＤＶＤドライブ３７等の外部記憶装置を内蔵したインクジェット式記録装置５０の利便性を向上させることができる。
【００４７】
また、デジタルカメラ３０３やメモリカード３０１に保存されている複数のデジタル画像ファイルの中から、ユーザが任意にデジタル画像ファイルを選択した後、「印刷」→「＋」→「保存」又は「保存」→「＋」→「印刷」の順に操作がされたときは、記録紙Ｐへの記録制御とＣＤ／ＤＶＤドライブ３７による光ディスク３０２へのファイル保存制御とを同時に実行せずに、例えば、図７に図示したフローチャートの手順のように先にファイル保存制御を実行してから記録制御を実行する等、その選択されたデジタル画像ファイルについての記録制御とファイル保存制御を相互排他的に実行する。すなわち、記録紙Ｐへの記録制御とＣＤ／ＤＶＤドライブ３７による光ディスク３０２へのファイル保存制御とが同時に実行されることがないので、記録紙Ｐへの記録を実行する際にＡＳＦによる自動給紙動作やキャリッジ６１の往復動作等に起因して生ずる振動とＣＤ／ＤＶＤドライブ３７における光ディスク３０２の回転等に起因して生ずる振動とが相互に影響し合うことがない。それによって、記録紙Ｐへの記録制御時に生ずる振動と光ディスク３０２のファイル保存時に生ずる振動とが相互に影響し合うことによる記録紙Ｐへの記録画質の低下及びＣＤ／ＤＶＤドライブ３７での書き込みエラーの発生を、振動検出手段や振動低減機構等を設けることなく低コストに防止することができる。
【００４８】
さらに、まずユーザが選択した画像のデジタル画像ファイルを全てＣＤ／ＤＶＤドライブ３７で光ディスク３０２へ保存した後に、そのデジタル画像ファイルを保存した光ディスク３０２からそのデジタル画像ファイルのデータを読み込みながら、そのデジタル画像ファイルの画像を記録紙Ｐへ記録することによって、光ディスク３０２へのデジタル画像ファイルの保存時に万一書き込みエラーが生じていれば、それをいち早く検出することが可能になる。すなわち、ＣＤ／ＤＶＤドライブ３７による光ディスク３０２へのファイル保存制御を先行させて実行して、その光ディスク３０２へ保存したデジタル画像ファイルを読み込みながら、その読み込んだデジタル画像ファイルの画像データに基づいて記録紙Ｐへの記録制御を実行することによって、ＣＤ／ＤＶＤドライブ３７による光ディスク３０２へのファイル保存が正常に行われたか否かを記録紙Ｐへの記録実行中に検証することができる。
【００４９】
つづいて、本発明に係るインクジェット式記録装置５０におけるユーザインタフェース手段３８の他の実施例について説明する。
【００５０】
図８は、本発明に係るユーザインタフェース手段３８の第２実施例を模式的に図示した平面図である。  
当該実施例においては、図示の如く印刷ボタン１１と保存ボタン１２とに跨るように＋ボタン１３が配設されている。印刷ボタン１１及び保存ボタン１２は、それぞれ単独で押下することができるとともに、＋ボタン１３を押下すると、＋ボタン１３と係合して印刷ボタン１１と保存ボタン１２も同時に押下されるようになっている。すなわち、ユーザは、＋ボタン１３を押下するだけで、印刷ボタン１１と保存ボタン１２と＋ボタン１３とを同時に全て押下することができ、それによって、ユーザが選択した所望のデジタル画像ファイルについて、記録紙Ｐへの記録及び光ディスク３０２への保存の両方を実行することができる構成となっている。
【００５１】
図９は、本発明に係るユーザインタフェース手段３８の第３実施例を模式的に図示した平面図である。  
このように、第１実施例及び第２実施例における＋ボタン１３に代えて、「印刷＋保存」の専用ボタンとして印刷＋保存ボタン１４を設けるようにしても良い。当該実施例においては、この印刷＋保存ボタン１４を押下することで、ユーザが選択した所望のデジタル画像ファイルについて、記録紙Ｐへの記録及び光ディスク３０２への保存の両方を実行することができる。
【００５２】
図１０は、本発明に係るユーザインタフェース手段３８の第４実施例を模式的に図示した平面図である。  
前記の第３実施例のようにハード的な機構として印刷＋保存ボタン１４を設けるのではなく、このように、プログラムにより任意に機能を割り当てることが可能ないわゆるファンクションキーに「印刷＋保存」を割り当てるようにしても本発明の実施は可能である。当該実施例においては、ユーザインタフェース手段３８にファンクションキーとして配設されているボタンＢ２を押下することで、ユーザが選択した所望のデジタル画像ファイルについて、記録紙Ｐへの記録及び光ディスク３０２への保存の両方を実行することができる。
【００５３】
また、このように任意の機能を自由に割り当てることが可能なファンクションキーを利用することによって、任意に選択したデジタル画像ファイルについて、記録紙Ｐへの記録を実行する操作又はＣＤ／ＤＶＤドライブ３７による光ディスク３０２へのファイル保存操作の他、このインクジェット式記録装置５０が有する他の機能に基づいて処理する制御を実行する操作も含めて、これらの操作から二以上の操作を選択して一連の操作で同時に行うことができる操作ボタン機能を実現することも可能になる。例えば、インクジェット式記録装置５０がインターネット接続機能を有している場合には、ユーザが任意に選択したデジタル画像ファイルを電子メールに添付して送信することも可能である。このような機能を有するインクジェット式記録装置５０においては、ユーザが任意に選択したデジタル画像ファイルの画像を記録紙Ｐへ記録する操作とともに、その選択したデジタル画像ファイルを電子メールに添付して予め設定した宛先へ送信する操作も一連の操作で同時に行うことが可能なボタン機能をファンクションキーとしてのボタンＢ１又はボタンＢ２のいずれかにもたせることもできる。
【００５４】
尚、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００５５】
【図１】本発明に係るインクジェット式記録装置の概略の平面図。
【図２】本発明に係るインクジェット式記録装置の概略の側面図。
【図３】本発明に係るインクジェット式記録装置の概略のブロック図。
【図４】記録制御部の要部の機能ブロック図。
【図５】本発明に係るユーザインタフェース手段の第１実施例。
【図６】印刷ボタン等の操作に対する制御手順を示したフローチャート。
【図７】記録制御とファイル保存制御の実行手順を示したフローチャート。
【図８】本発明に係るユーザインタフェース手段の第２実施例。
【図９】本発明に係るユーザインタフェース手段の第３実施例。
【図１０】本発明に係るユーザインタフェース手段の第４実施例。
【符号の説明】
【００５６】
１１  印刷ボタン、１２  保存ボタン、１３  ＋ボタン、１４  印刷＋保存ボタン、３６  メモリカードスロット、３７  ＣＤ／ＤＶＤドライブ、３８  ユーザインタフェース手段、５０  インクジェット式記録装置、５１  キャリッジガイド軸、５２  プラテン、５３  搬送駆動ローラ、５４  搬送従動ローラ、５５  排紙駆動ローラ、５６  排紙従動ローラ、６１  キャリッジ、６２  記録ヘッド、１００  記録制御部、１０１  ＲＯＭ、１０２  ＲＡＭ、１０３  ＡＳＩＣ、１０４  ＭＰＵ、１０５  不揮発性メモリ、３０２  光ディスク、３８１  液晶ディスプレイ、３８２  操作パネル、Ｂ１、Ｂ２  ファンクションキー、Ｐ  記録紙、Ｘ  主走査方向、Ｙ  副走査方向
【図１】
2007283643.tif 000003
【図２】
2007283643.tif 000004
【図３】
2007283643.tif 000005
【図４】
2007283643.tif 000006
【図５】
2007283643.tif 000007
【図６】
2007283643.tif 000008
【図７】
2007283643.tif 000009
【図８】
2007283643.tif 000010
【図９】
2007283643.tif 000011
【図１０】
2007283643.tif 000012